(57)【要約】      （修正有）【課題】カラー印刷の使用状況に応じて、回収トナーを使用するか否かを選択できるカラー画像形成装置を提供する。【解決手段】カラー画像形成装置は、トナー回収スクリュー７Ｋ，７Ｍ，７Ｙ，７Ｃにより回収した回収トナーを一時的に貯蔵する回収トナー貯蔵容器２０１と、回収トナー貯蔵容器２０１内に回収貯蔵された回収トナーを画像形成部に代えて使用するリサイクル用画像形成部と、回収トナー貯蔵容器２０１内に回収したトナーをリサイクル用画像形成部の現像装置３Ｒに搬送するためのトナー戻しスクリュー２０５と、回収トナー貯蔵容器２０１に回収したトナーを使用した画像出力をリサイクル用画像形成部により行うリサイクルモードとするか否かを選択操作する表示装置とを有する。【選択図】図２
2013195639.tif 000002
【特許請求の範囲】
【請求項１】
黒色画像形成部および他の色のトナーを用いる複数の画像作成部が設けられた作像装置を備え、前記各画像作成部は、各色のトナー画像が形成される像担持体と、前記像担持体から他の部材に転写後の前記像担持体表面の残トナーを除去するクリーニング装置と、この除去されたトナーを回収するトナー回収装置を備えると共に、前記複数の画像作成部を制御して前記複数の画像作成部によりカラー画像を作像して転写紙に転写させる制御回路を有するカラー画像形成装置において、
前記トナー回収装置により回収した回収トナーを一時的に貯蔵する回収トナー貯蔵容器と、
前記回収トナー貯蔵容器内に回収貯蔵された回収トナーを前記黒色画像形成部に代えて使用するリサイクル用画像形成部と、
前記回収トナー貯蔵容器内に回収したトナーを前記リサイクル用画像形成部の現像装置に搬送するための回収トナー搬送手段と、
前記回収トナー貯蔵容器に回収したトナーを使用した画像出力を前記リサイクル用画像形成部により行うリサイクルモードとするか否かを選択操作する選択手段と、
が設けられていることを特徴とするカラー画像形成装置。
【請求項２】
請求項1に記載のカラー画像形成装置において、前記回収トナー貯蔵容器内の回収トナーの色を検出させる回収トナー色検出センサと、前記回収トナー貯蔵容器に黒色の新トナーを補充させる新トナー補充装置とを備え、
前記制御回路は、回収トナー色検出センサからの回収トナー色検出信号に基づいて回収トナー貯蔵容器内の回収トナーの色が黒色からどの程度離れているかを判断し、回収トナーの色が黒色から所定の許容範囲を超えて大きくずれている場合、前記新トナー補充装置を動作制御して前記回収トナー貯蔵容器内に黒色の新トナーを補充させることを特徴とするカラー画像形成装置。
【請求項３】
請求項２に記載のカラー画像形成装置において、前記制御回路は、前記回収トナーの色が黒色から所定の許容範囲内になるまで、前記回収トナー色検出信号に基づいて前記新トナー補充装置を動作制御して前記回収トナー貯蔵容器内に黒色の新トナーを補充させ、前記回収トナーの色が黒色から所定の許容範囲内になったときに前記新トナー補充装置の動作を停止させることを特徴とするカラー画像形成装置。
【請求項４】
請求項３に記載のカラー画像形成装置において、前記回収トナー貯蔵容器内の回収トナーを攪拌させる回収トナー攪拌装置と、前記回収トナー貯蔵容器内の回収トナーを検出させる回収トナー検出センサを備えると共に、
前記制御回路は、前記選択手段により前記リサイクルモードが選択されたときに前記回収トナー検出センサからのトナー検出信号に基づいて前記回収トナーがあるか否かを判断し、あると判断したとき前記回収トナー搬送手段および前記リサイクル用画像形成部を動作制御することを特徴とするカラー画像形成装置。
【請求項５】
請求項４に記載のカラー画像形成装置において、前記制御回路は、回収トナーによるリサイクル画像形成部を用いる場合のリサイクル画像形成部の像担持体への書込パターンや、黒色画像形成部を用いる場合の黒色画像形成部の像担持体への書込パターンを設定する書込パターン設定装置を有することを特徴とするカラー画像形成装置。
【請求項６】
請求項４又は５に記載のカラー画像形成装置において、前記制御回路は、前記選択手段により前記リサイクルモードが選択されたときに前記回収トナー検出センサからのトナー検出信号に基づいて前記回収トナーがあるか否かを判断し、ないと判断したとき前記回収トナー搬送手段および前記リサイクル用画像形成部の動作制御を停止させ、前記作像装置の黒色画像形成部を作動制御することを特徴とするカラー画像形成装置。
【発明の詳細な説明】
【技術分野】
【０００１】
この発明は、複数の色のトナーを用いたフルカラー画像の印刷が可能なカラー画像形成装置に関するものである。
【背景技術】
【０００２】
この種のカラー画像形成装置としては、非磁性トナーと磁性キャリアとが含まれる２成分現像剤をカラー用の複数の色毎に設けて、各色に対応する感光ドラム等の感光体（像担持体）に形成される静電潜像を各色の２成分現像剤により現像して、現像した各色の画像を転写紙に転写して定着させる２成分電子写真方式のものが広く採用されている。
【０００３】
このカラー画像形成装置においては、Ｙ（イエロー），Ｍ（マゼンタ），Ｃ(シアン），ＢＫ（ブラック）等の各色の画像データに基づいて各色用の画像を形成する複数の画像形成部を有する。また、各色の画像形成部は各色用の感光ドラム等の感光体（像担持体）を有し、各色用の感光体には各色の画像データに基づいて静電潜像が形成されるようになっている。また、各画像形成部は、各色用の感光体に形成された静電潜像に２成分現像剤を吸着させて、各色用の感光体に形成された静電潜像を２成分現像剤により現像させる各色用の現像装置を内部にそれぞれ備えている。
【０００４】
このような２成分電子写真方式では、各画像形成部の現像装置において各色のトナーをキャリア（磁性粉）とをそれぞれ混合して、攪拌する事で摩擦帯電を起こさせ、各色のトナーをキャリア（磁性粉）の静電気力によって各色用の感光体等の像担持体の静電潜像にそれぞれ付着させるようになっている。
【０００５】
このトナーとキャリアの混合物が現像剤である。この現像剤は、現像装置中の現像ローラによって現像領域に運ばれ、感光体上の光学的に書き込まれた静電潜像に吸着されて、感光体の静電潜像を現像する。尚、感光体上に現像されたトナー像は、感光体から直接に転写紙に転写されたり、方式によっては中間転写ベルトなどの中間媒体へ転写され、最終的に紙上に転写された後、定着され出力される。
【０００６】
このような電子写真の作像プロセスの中で、感光体上から中間媒体への転写及び、中間媒体から紙上への転写に際し、転写されないトナーが転写残トナーとして転写前媒体に少量残る。転写残トナーは別途設けられたクリーニング機構（クリーニング装置）によって回収されることが多い。そして、モノクロの画像形成装置などでは、回収した転写残トナーを再度現像装置へと投入し再利用する機構を備えたものが存在する。
【０００７】
しかし、フルカラー出力可能なカラー画像形成装置においては、転写残トナーは回収された後、廃棄されるのが一般的である。理由としては、回収された転写残トナーは異物の混入や、トナーの外添剤の埋没などによって、新品トナーとは物性が異なっており、不具合を引き起こす可能性が高い事も利用しづらい原因のひとつである。加えて、フルカラー印刷機において、転写残トナーは複数色が混色した状態で回収されるためカラー印刷には利用しづらい事がある。
【０００８】
しかし、フルカラー印刷機においてもブラックのみの印刷を行う場合が多い。加えて、使用状況においては要求される画像品質においても必ずしも純粋な黒色である必要がない場合もある。
【０００９】
また、黒色トナーは、通常のブラックモードの印刷だけでなく、フルカラー印刷時に画像のカラー部においても色の調整の為に利用されるため、一般的に使用頻度が高い。黒色の代用として廃トナーを利用すれば廃トナーの再利用循環サイクルも早く効率的である。
【００１０】
上記の状況を踏まえて、フルカラー印刷機においても特許文献1.2にあるようにメモリに記憶された出力画像のデューティから回収転写残トナーの色味を推測し、その推測値を元にブラックトナーの代用として利用する手段が知られている。
【００１１】
また、特許文献3にあるように4色別々に転写残トナーを回収する機構を別途儲け、転写残トナーを再利用する方法が知られている。
【００１２】
更に、特許文献5におけるように、カラー３色の回収トナーを等量ずつ混合してフ゛ラックトナーの代用として再利用する方式についても知られている。
【００１３】
また、回収トナーを別途設置した回収トナー専用現像装置を用いて、使用することに関しては特許文献4のように既に知られている
【発明の概要】
【発明が解決しようとする課題】
【００１４】
しかしながら、フルカラー画像形成装置において、転写後の感光体からの回収トナーは複数色のカラートナーが混入している為、色情報が不明であり、黒色トナーの代用として再利用する事が難しい。そのまま再利用した場合、出力画像品質の劣化が大きい。
【００１５】
従って、カラー画像形成装置のカラー印刷の使用状況に応じて、回収トナーを使用するか否かを選択できるのが望ましい。
【００１６】
そこで、この発明は、カラー印刷の使用状況に応じて、回収トナーを使用するか否かを選択できるカラー画像形成装置を提供することを目的とするものである。
【課題を解決するための手段】
【００１７】
この目的を達成するため、この発明は、黒色画像形成部および他の色のトナーを用いる複数の画像作成部が設けられた作像部を備え、前記各画像作成部は、各色のトナー画像が形成される像担持体と、前記像担持体から他の部材に転写後の前記像担持体表面の残トナーを除去するクリーニング装置と、この除去されたトナーを回収するトナー回収装置を備えると共に、前記複数の画像作成部を制御して前記複数の画像作成部によりカラー画像を作像して転写紙に転写させる制御回路を有するカラー画像形成装置において、前記トナー回収装置により回収した回収トナーを一時的に貯蔵する回収トナー貯蔵容器と、前記回収トナー貯蔵容器内に回収貯蔵された回収トナーを前記黒色画像形成部に代えて使用するリサイクル用画像形成部と、前記回収トナー貯蔵容器内に回収したトナーを前記リサイクル用画像形成部の現像装置に搬送するための回収トナー搬送手段と、前記回収トナー貯蔵容器に回収したトナーを使用した画像出力を前記リサイクル用画像形成部により行うリサイクルモードとするか否かを選択操作する選択手段と、が設けられていることを特徴とする。
【発明の効果】
【００１８】
この構成によれば、カラー印刷の使用状況に応じて、回収トナーを使用するか否かを選択できる。
【図面の簡単な説明】
【００１９】
【図１】この発明に係るカラー画像形成装置の概略構成を示す説明図である。
【図２】図１のカラー画像形成装置のトナー回収装置と回収トナー貯蔵装置の関係を示す説明図である。
【図３】図２の回収トナー貯蔵装置の概略断面図である。
【図４】図１のカラー画像形成装置の制御回路図である。
【発明を実施するための形態】
【００２０】
以下、本発明の実施形態について説明する。
【００２１】
図１は、本実施形態に係るカラー画像形成装置の概略構成を示した図である。
[構成]
＜カラー画像形成装置の全体の概略構成＞
図１に示すカラー画像形成装置１００は、転写紙８が収容された給紙トレイ２０、２１、２２と、給紙トレイ２０、２１、２２の上方に配設されたエンドレスの搬送ベルト１５を有する。また、カラー画像形成装置１００は、搬送ベルト１５の上方に配置されてトナー画像を形成し且つこのトナー画像を転写紙８に転写させる作像装置Ｇｍと、搬送ベルト１５から排出される転写紙８のトナー画像を一対の定着ローラ（符号省略）で転写紙８に定着させる定着部２４と、定着部２４から排出される転写紙８を排紙させる排紙トレイ２５を有する。更に、カラー画像形成装置１００は、給紙トレイ２０、２１、２２から転写紙８を給紙させる給紙ローラ３０と、給紙ローラ３０から排出された転写紙８を搬送ベルト１５の上部側に搬送するレジストローラ２３を有する。搬送ベルト１５は搬送ローラ１８、１９に掛け渡されている。この搬送ローラ１８、１９は、一方が駆動回転させられる駆動ローラとして用いられ、他方が従動回転させられる従動ローラとして用いられる。
【００２２】
更に、カラー画像形成装置１００は、各可動部や動作部を制御する演算制御回路（制御装置）４０を有する。
＜作像装置Ｇｍの概略構成＞
この作像装置Ｇｍは、搬送ベルト１５の上方に配設した主フルカラー作像装置（符号省略）および回収トナー作像装置（符号省略）を有する。この主フルカラー作像装置は、複数の画像形成部１７Ｋ、１７Ｍ、１７Ｙ、１７Ｃをカラーの各色の作像部として備える。
（主フルカラー作像装置）
ここで、搬送ベルト１５の上部側の移動方向を、以下、単に転写紙搬送方向という。また、カラー画像形成装置１００は、上述した複数の画像形成部１７Ｋ、１７Ｍ、１７Ｙ、１７Ｃが搬送ベルト１５の上ベルト部１５ａ上に矢印Ａ１で示した上ベルト部１５ａの転写紙搬送方向に沿って上流側から順に配設された所謂タンデムタイプのものである。
【００２３】
尚、複数の画像形成部１７Ｋ、１７Ｍ、１７Ｙ、１７Ｃは必ずしもこの順に転写紙搬送方向の上流側から配置する必要はない。例えば、複数の画像形成部１７Ｃ、１７Ｙ、１７Ｍ、１７Ｋをこの順に転写紙搬送方向の上流側から配置しても良い。この場合、４つの画像形成部１７Ｃ、１７Ｙ、１７Ｍ、１７Ｋのみでは、画像形成部１７Ｋが最下流となる。
【００２４】
これらの画像形成部１７Ｋ、１７Ｍ、１７Ｙ、１７Ｃは、それぞれが複数部材の組み合わせからなり画像形成を行なう。必ずしもユニットとして構成されている必要はない。
【００２５】
この画像形成部（黒色画像形成部）１７Ｋは黒、画像形成部１７Ｍはマゼンタ、画像形成部１７Ｙはイエロー、画像形成部１７Ｃはシアン、の各色の画像を形成するもので、これら各画像形成部１７Ｋ、１７Ｍ、１７Ｙ、１７Ｃは形成する画像の色が異なるだけで、内部構成は各画像形成部とも共通である。この画像形成部１７Ｋは、潜像担持体としてのドラム状の感光体１Ｋの周囲に、帯電装置２Ｋ、現像装置３Ｋ、転写装置５Ｋ、クリーニング装置６Ｋが順に配設されている。画像形成部１７Ｋは、感光体１Ｋに静電潜像を形成する露光装置（光書込装置）１６Ｋを有する。
【００２６】
また、画像形成部１７Ｍ，１７Ｙ，１７Ｃは、画像形成部１７Ｋと同じ構成である。従って、画像形成部１７Ｍ(１７Ｙ，１７Ｃ)は、感光体１Ｍ（１Ｙ，１Ｃ），帯電装置２Ｍ（２Ｙ，２Ｃ），現像装置３Ｍ（３Ｙ，３Ｃ），転写装置５Ｍ（５Ｙ，５Ｃ），クリーニング装置６Ｍ（６Ｙ，６Ｃ）を有するとともに、露光装置１６Ｋと同様な露光装置（光書込装置）１６Ｍ（１６，Ｙ１６Ｃ）を有する。
（回収トナー作像装置）
しかも、本実施例では、4色の画像形成部１７Ｋ、１７Ｍ、１７Ｙ、１７Ｃに加えて、回収したトナーを使用する画像形成部（リサイクル用画像形成部）１７Ｒを回収トナー作像装置（回収トナー作像部）として画像形成部１７Ｋより上流側に有する。
【００２７】
尚、画像形成部１７Ｒの配置も画像形成部１７Ｋ、１７Ｍ、１７Ｙ、１７Ｃの配置と同様に画像形成部１７Ｋより上流側である必要はない。例えば、複数の画像形成部１７Ｃ、１７Ｙ、１７Ｍ、１７Ｋ，１７Ｒをこの順に搬送ベルト１５による転写紙搬送方向の上流側から配設して、画像形成部１７Ｒが最下流すなわち画像形成部１７Ｋよりも下流の位置となるように配設しても良い。
【００２８】
ただし、回収トナーを利用する画像形成部（現像ユニット）１７Ｒに限っては、回収トナーは一般的に外添剤の埋没などによって帯電しにくい為、他の４色すなわちブラック（Ｋ），シアン（Ｃ），マゼンタ（Ｍ），イエロー（Ｙ）とは異なる磁性キャリア（磁性粉）を用いても良い。
【００２９】
また、カラー画像形成装置１００は、後述するように、画像形成部１７Ｋ、１７Ｍ、１７Ｙ、１７Ｃのみを用いる通常のフルカラー印刷モードと、回収トナーを利用する画像形成部１７Ｒを用いるリサイクルモードを有する。
＜回収トナー貯蔵装置２００の構成＞
また、カラー画像形成装置１００は図２に示した回収トナー貯蔵装置２００を有し、この回収トナー貯蔵装置２００は図３に示した傾斜する回収トナー貯蔵容器２０１を有する。
【００３０】
この回収トナー貯蔵容器２０１は、ブラック（Ｋ）マゼンタ（Ｍ），イエロー（Ｙ），シアン（Ｃ）の色のトナーを回収する回収トナー補給口（トナー回収口）２０２Ｋ，２０２Ｍ，２０２Ｙ，２０２Ｃを上端の端壁２０１ａに有する。また、回収トナー貯蔵容器２０１には、黒色（ブラック）の新トナーを補給する新トナー補給口２０３が端壁２０１ａに設けられている。
【００３１】
この新トナー補給口２０３には、図２の新トナー補充装置５０から黒色の新トナーが補充されるようになっている。即ち、この新トナー補充装置５０は、黒色の新トナーが収容されたトナーボトル（トナー容器）５０ａと、トナーボトル５０ａから黒色の新トナーを回収トナー貯蔵容器２０１に供給させるトナー補給スクリュー５１を有する。
【００３２】
しかも、この回収トナー貯蔵容器２０１内には、図３に示したように回収されたトナーを攪拌する攪拌スクリュー（攪拌部材）２０４が攪拌装置として設けられている。この攪拌スクリュー２０４は、回収トナー貯蔵容器２０１の傾斜方向に延びていて、回収トナー貯蔵容器２０１の下部側から貯留されるトナーを上方に搬送移動させながら搬送するトナーを重力により下方に移動するようにすることで、回収トナーを攪拌できるようになっている。
【００３３】
また、回収トナー貯蔵容器２０１の下端部にはトナー排出口２０１ｂが設けられている。このトナー排出口２０１ｂには、回収トナーを再利用する画像形成部１７Ｒの現像装置３Ｒに戻すトナー戻し装置２０５が設けられている。このトナー戻し装置２０５は、トナー戻通路２０６ａを形成するパイプ又はチューブ等のトナー戻筒体２０６と、トナー戻筒体２０６内に配設されたトナー戻しスクリュー２０７を有する。このトナー戻筒体２０６は、一端部がトナー排出口２０１ｂに接続され、他端部が画像形成部１７Ｒの現像装置３Ｒの図示しないトナー供給口（トナー補給口）に接続されている。
【００３４】
リサイクルモードにおいて、回収トナー貯蔵容器２０１内には十分な回収トナーの量があるか否かを検出する必要がある。このため、トナー戻し装置２０５は、トナー排出口２０１ｂに臨ませてトナー戻筒体２０６に設けられた回収トナー検出センサ（回収トナー検出装置）２０８を有する。
【００３５】
この回収トナー検出センサ２０８としては、回収トナー貯蔵容器２０１内の回収トナーの重量を検出できる圧電センサ（圧力検出センサ）や歪みセンサ（圧力検出センサ）等の重量検出センサを用いることができる。また、回収トナー検出センサ２０８としては、光電センサを用いることもできる。更に、回収トナー検出センサ２０８としては、接触式のセンサを回収トナー貯蔵容器２０１内の所定の高さ位置に設けることもできる。
【００３６】
また、通常、回収トナー貯蔵容器２０１内に回収されたトナーの色は、それまでに出力した画像の色の履歴によって異なる。例として、マゼンタ系の色ばかり出力しているような場合は回収トナーの色もマゼンタに近づき、黒色トナーから大きく異なってしまう。従って、リサイクルモードにおいては、回収トナー貯蔵容器２０１内に回収されたトナーの色を検出する必要がある。その為、リサイクルモードでは、回収後混合されたトナーの色情報を検出（測定）する必要がある。
【００３７】
このため、トナー戻し装置２０５は、トナー戻通路２０６ａの途中に臨むようにトナー戻筒体２０６の途中に設けられた回収トナー色検出センサ（トナー色検出装置）２０９を設けている。
【００３８】
この回収トナー色検出センサ２０９としては、カラーセンサを用いても良いし、別途光源を設置し回収トナーからの反射光の光量を測定するセンサを設けて、回収トナーが黒色にどの程度近いかを判別する手段でもよい。尚、トナー戻通路２０６ａの途中（経路途中）に設置する事によって、トナーの搬送中の現像剤嵩が一定である限りは回収トナー検出センサ２０８より一定の距離で測定することが出来、かつ常に撹拌された回収トナーを測定する為、安定して測定を行う事ができる。
＜画像形成部１７Ｋ、１７Ｍ、１７Ｙ、１７Ｃの構成・作用＞
ところで、リサイクルトナーを再利用しない、通常のフルカラー印刷モードの際には、回収トナーを利用した画像形成部１７Ｒは画像を形成せず、何も紙上に転写されないまま紙は通過し、画像形成部１７Ｍ，１７Ｙ，１７Ｃによりカラー画像が形成される。
【００３９】
また、上述したように画像形成部１７Ｍ，１７Ｙ，１７Ｃ，１７Ｒは、トナーによる現像で形成する画像の色が異なるのみで、画像形成部１７Ｋと同じ構成・作用を有する。
【００４０】
従って、通常のフルカラー印刷モードにおいて使用する画像形成部１７Ｍ，１７Ｙ，１７Ｃ，１７Ｒについて先ず説明する。尚、画像形成部１７Ｍ，１７Ｙ，１７Ｃ，１７Ｒの現像作用および転写作用は、画像形成部１７Ｋにおける現像および転写の作用と同じであるので、基本的な構成・作用については画像形成部１７Ｋについて以下に詳述し、画像形成部１７Ｍ，１７Ｙ，１７Ｃ，１７Ｒについては画像形成部１７Ｋの「Ｋ」を「Ｍ，Ｙ，Ｃ」に置き換えて図示し、構成・作用の説明を省略する。尚、画像形成部１７Ｋの他の構成についても、「Ｋ」を「Ｍ，Ｙ，Ｃ」に置き換えて図示し、構成・作用の説明を省略する。この際、画像形成部１７Ｍ，１７Ｙ，１７Ｃ，１７Ｒについては、必要に応じて説明をする。
（画像形成部１７Ｋによる基本的な構成・作用）
この画像形成部１７Ｋは、上述したように、潜像担持体としてのドラム状の感光体１Ｋの周囲に、帯電装置２Ｋ、現像装置３Ｋ、転写装置５Ｋ、クリーニング装置６Ｋが順に配設されている。
【００４１】
図１において、感光体１Ｋは、アルミ等の素管の表面に感光性を発揮する有機感光層が形成されたもので、図示しない駆動手段によって図中矢印Ａ２方向に回転駆動される。このように回転駆動される感光体１Ｋの表面は、帯電装置２Ｋで所定の帯電電位に一様に帯電された後、露光装置（光書込装置）１６Ｋより画像情報に基づいて変調されたレーザー光線が感光体１Ｋの軸方向にスキャンされて照射される。これにより、感光体１Ｋ上に静電潜像が形成される。この感光体１Ｋ上に形成された静電潜像は、現像装置３Ｋと対向する現像領域において、現像装置３Ｋにより帯電したトナーを付着させることで現像され、トナー像となる。
【００４２】
例えば、給紙トレイ２０に収納された転写紙８が用いられる場合、給紙トレイ２０内の最上位置にある転写紙８が画像形成時に給紙ローラ３０により送り出されて搬送ローラ３１によりレジストローラ２３まで搬送されて、搬送された転写紙８はレジストローラ２３で一旦待機させられ、画像形成部１７Ｋにおける画像形成とタイミングを合わせて送り出され、静電吸着により搬送ベルト１５に吸着される。
【００４３】
このようにして搬送ベルト１５に吸着された転写紙８は最初の画像形成部１７Ｋに搬送され、搬送ベルト１５の上側張設部分の裏側に配置された転写装置５Ｋにより、転写紙８に感光体１Ｋ上のトナー像とは逆極性の電荷を付与することで、感光体１Ｋ上に形成されたトナー像が転写される。なお、本実施形態の帯電装置２Ｋは、感光体１Ｋと同速度で回転される回転体からなるが、回転体に限らずコロナ放電タイプでもよい。
【００４４】
また、感光体１Ｋ上のトナー像を中間転写体（中間転写ベルトなど）に一旦転写し、その後多色トナーを一括して転写紙に転写する中間転写ベルト方式にも適用は可能である。
【００４５】
転写装置５Ｋにおいてトナー像が転写された後の感光体１Ｋの表面は、クリーニング装置６Ｋでクリーニングされ、感光体１Ｋ上に残った黒色（Ｋ）のトナーが除去されるようになっている。この除去された黒色（Ｋ）のトナーは、図２に示したトナー回収装置であるアジテータコイル（トナー回収部材）等のトナー回収スクリュー７Ｋにより回収トナー貯蔵装置２００の回収トナー補給口２０２Ｋから回収トナー貯蔵容器２０１に回収される。この回収された黒色（Ｋ）のトナーは、回収トナー貯蔵容器２０１内において攪拌スクリュー（攪拌部材）２０４により他の色のトナーと共に攪拌され、回収トナーを再利用するリサイクルモードまで使用されない状態となっている。
【００４６】
そして、クリーニング装置６Ｋを通過した感光体１Ｋの表面は、その後、帯電装置２Ｋにより一様に帯電され、その後、次の画像形成工程を繰返す。
【００４７】
このように構成されるカラー画像形成装置１００では、カラー画像の画像形成に際し、画像形成部１７Ｋでは、感光体１Ｋの周面が暗中にて帯電装置２Ｋにより一様に帯電された後、露光装置１６Ｋからの黒画像に対応した露光用の光Ｌにより露光され、静電潜像が形成される。この静電潜像は、現像装置３Ｋにおいて黒トナーにより可視像化され、感光体１Ｋ上に黒のトナー像が形成される。このトナー像は感光体１Ｋと搬送ベルト１５上の転写紙８とが接する位置、所謂転写位置で転写紙８と合致して転写装置５Ｋの働きにより転写紙８上に転写され、転写紙８上に単色（黒）の画像が形成される。
（画像形成部１７Ｍ，１７Ｙ，１７Ｃ，１７Ｒ）
そして、画像形成部１７Ｋで単色（黒）を転写された転写紙８は、搬送ベルト１５によって次の画像形成部１７Ｍに搬送される。
【００４８】
次に、画像形成部１７Ｍでは、前記画像形成部１７Ｋにおけると同様のプロセスにより感光体１Ｍ上に形成されたマゼンタのトナー像が前記転写紙８上の黒のトナー像に重ね転写される。
【００４９】
また、転写紙８はさらに次の画像形成部１７Ｙに搬送され、同様にして感光体１Ｙ上に形成されたイエローのトナー像が転写紙８上に既に形成されている黒及びマゼンタのトナー像に重ね転写される。
【００５０】
そして、同様にしてさらに、次の画像形成部１７Ｃでは、シアンのトナー像が重ね転写されて、フルカラーのカラー画像が得られる。このようにしてフルカラーの重ね画像が形成された転写紙８は、画像形成部１７Ｃを通過した後、搬送ベルト１５から剥離されてから定着部２４で一対の定着ローラ間を通過する間に定着された後、排紙トレイ２５へ排紙される。
＜演算制御回路（制御装置）４０＞
カラー画像形成装置１００は、図１に示した演算制御回路４０を制御装置として有する。この演算制御回路４０は、図４に示したようにカラー画像形成装置１００の各動作部４１を動作制御されるようになっている。
【００５１】
この動作部４１としては、例えば上述した搬送ベルト１５の搬送ローラ１８、１９の一方を駆動する駆動モータ等の駆動装置（図示せず）、レジストローラ２３や給紙ローラ３０、搬送ローラ３１の駆動モータ等の駆動装置（図示せず）、定着部２４等があるが、画像読取装置（図示せず）等その他の動作部も含まれる。また、演算制御回路４０は、作像装置Ｇｍの画像形成部１７Ｋ，１７Ｍ，１７Ｙ，１７Ｃ，１７Ｒ等の各動作部を駆動制御するようになっている。
【００５２】
また、演算制御回路４０には、回収トナー検出センサ（回収トナー検出装置）２０８からのトナー検出信号が入力されると共に、回収トナー色検出センサ（トナー色検出装置）２０９からのトナー色検出信号が入力されるようになっている。
【００５３】
更に、演算制御回路４０は、タッチパネル式の液晶表示器等の表示装置４２を動作制御して、動作部４１の動作制御のためのタッチ式の選択操作部を表示装置４２に表示させるようになっている。この表示装置４２は、印刷モードや用紙サイズ等その他の選択を行う選択装置（選択手段）として用いられる。
【００５４】
また、演算制御回路４０は、通常の黒（Ｋ）による白黒印刷モードと、リサイクルトナーを再利用しない通常のフルカラー印刷モードと、回収したトナーをリサイクルトナーとして再利用する回収トナー利用印刷モードすなわリサイクルモードを有する。
【００５５】
この演算制御回路４０は、例えば、「白黒」，「フルカラー」のような表示がされたタッチ式の選択操作部や「リサイクル」のような表示がされたタッチ式の選択操作部を表示装置４２に表示させる。
【００５６】
そして、演算制御回路４０は、「白黒」のタッチ式の選択操作部を操作することにより白黒印刷モードになり、「フルカラー」のタッチ式の選択操作部を操作することにより通常のフルカラー印刷モードになり、「リサイクル」のタッチ式の選択操作部を操作することにより「リサイクルモード」となるように設定されている
。
【００５７】
演算制御回路４０は、「白黒モード」では画像形成部１７Ｋのみが動作制御され、フルカラー印刷モードでは、画像形成部１７Ｋ，１７Ｍ，１７Ｙ，１７Ｃが動作制御されるようになっている。また、演算制御回路４０は、「白黒モード」において「リサイクルモード」を選択すると、画像形成部１７Ｋの動作制御を停止させて、トナーリサイクル用の画像形成部１７Ｒのみを動作制御するようになっている。更に、演算制御回路４０は、フルカラー印刷モードにおいて「リサイクルモード」を選択すると、画像形成部１７Ｍ，１７Ｙ，１７Ｃを動作制御すると共に、画像形成部１７Ｋの動作制御を停止させてトナーリサイクル用の画像形成部１７Ｒを動作制御するようになっている。
【００５８】
また、演算制御回路４０は、図２のトナー補給スクリュー５１を駆動するモータ等の回転駆動装置５２を駆動制御し、図２のトナーを攪拌する攪拌スクリュー２０４を駆動するモータ等の回転駆動装置５３を駆動制御し、トナー戻しスクリュー２０７を駆動するモータ等の回転駆動装置５４を駆動制御するようになっている。
【００５９】
上述したように回収トナー専用の現像装置３Ｒに補給されたトナーは、黒色トナーの代用として再利用される。尚、画像品質の劣化はある程度避けられない為、画像の黒色部の何％程度を回収トナーで代用するかはユーザーによって設定する事が出来るようにする。即ち、画像形成部１７Ｒ（リサイクル画像形成部）の感光体１Ｒ（像担持体）への書込パターンである網点パターンと、画像形成部１７Ｋ（黒色画像形成部）の感光体１Ｋ（像担持体）への書込パターンである網点パターンを設定するパターン設定装置６０を設けて、パターン設定装置６０による設定内容を演算制御回路４０に入力するようにしている。この演算制御回路４０は、パターン設定装置６０により設定された書込パターンである網点パターンに基づいて露光装置（光書込装置）１６Ｒ，１６Ｋを作動制御して、画像データに基づく感光体１Ｒ，１Ｋの静電潜像を形成する際、感光体１Ｒへの網点パターンの細かさにより黒色部の何％程度を回収トナーで代用し、感光体１Ｋへの網点パターンの細かさにより純粋な黒色のトナーを何％程度使用するかを制御するようになっている。
[作用]
次に、このような構成のカラー画像形成装置の演算制御回路４０による駆動制御を説明する。
【００６０】
図２は、クリーニング装置によって回収されたトナーの流れを示す概略図を示す。
【００６１】
演算制御回路４０は、起動時に通常の黒色による画像作成モードになるように設定されている。
（起動時の白黒印刷モード）
この画像作成モードにおいて演算制御回路４０は、作像装置Ｇｍでは画像形成部１７Ｋのみを動作制御する。この制御において、演算制御回路４０は、露光装置（光書込装置）１６Ｋより画像情報に基づいて変調されたレーザー光線を感光体１Ｋの軸方向にスキャンさせて照射させる。これにより、感光体１Ｋ上に静電潜像が形成される。感光体１Ｋ上に形成された静電潜像は、現像装置３Ｋと対向する現像領域において、現像装置３Ｋにより帯電した黒色（Ｋ）のトナーが付着させられることで現像され、黒色（Ｋ）のトナー像となる。この黒色（Ｋ）のトナー像は、感光体１Ｋの矢印方向への回転に伴い、転写装置５Ｋにより搬送ベルト１５により給紙される転写紙８に転写される。
【００６２】
そして、転写装置５Ｋにおいてトナー像が転写された後の感光体１Ｋの表面は、クリーニング装置６Ｋでクリーニングされ、感光体１Ｋ上に残った黒色（Ｋ）のトナーが除去される。そして、この除去された黒色（Ｋ）のトナーは、搬送装置であるアジテータコイルトナー等のトナー回収スクリュー７Ｋにより回収トナー貯蔵容器２０１に回収される。
（フルカラー印刷モード）
また、演算制御回路４０は、表示装置４２に表示されている操作メニュー又は操作ボタンから「フルカラー」を選択すると、画像形成部１７Ｋ，１７Ｍ，１７Ｙ，１７Ｃによるフルカラー印刷モードになる。このフルカラー印刷モードでは、上述したように画像形成部１７Ｋが動作制御（駆動制御）されると共に、画像形成部１７Ｍ，１７Ｙ，１７Ｃが画像形成部１７Ｋと同様に動作制御（駆動制御）され、画像形成部１７Ｋ，１７Ｍ，１７Ｙ，１７Ｃで形成された各色の画像が転写紙８にそれぞれ転写される。
【００６３】
この後、感光体１Ｋ，１Ｍ，１Ｙ，１Ｃの表面にそれぞれ残った黒色（Ｋ），マゼンタ（Ｍ），イエロー（Ｙ），シアン（Ｃ）の色のトナーがクリーニング装置６Ｋ，６Ｍ，６Ｙ，６Ｃによりそれぞれ除去される。この除去された黒色（Ｋ），マゼンタ（Ｍ），イエロー（Ｙ），シアン（Ｃ）のトナーは、搬送装置であるアジテータコイル等のトナー回収スクリュー７Ｋ，７Ｍ，７Ｙ，７Ｃにより回収トナー貯蔵装置２００の回収トナー貯蔵容器２０１に回収される。
【００６４】
しかも、この回収トナー貯蔵容器２０１内に回収された黒色（Ｋ），マゼンタ（Ｍ），イエロー（Ｙ），シアン（Ｃ）のトナーは、攪拌スクリュー２０４により上方に搬送移動させられながら、を重力により下方に移動することを繰り返すことで、均一になるように攪拌される。このフルカラー印刷モードでは、回収されたトナーは回収トナー貯蔵容器２０１内で攪拌されている状態となる。
＜リサイクルモード＞
演算制御回路４０には、白黒印刷モードやフルカラー印刷モードにおいて、回収トナー検出センサ２０８からのトナー検出信号が入力されていると共に、回収トナー色検出センサ２０９からのトナー色検出信号が入力されている。
（白黒印刷モード時のリサイクルモード）
演算制御回路４０は、「白黒印刷モード」において表示装置４２に表示されている操作メニュー又は操作ボタンから「リサイクルモード」を選択すると、回収トナー検出センサ２０８からのトナー検出信号に基づいて、回収トナー貯蔵容器２０１内にリサイクルできる量のトナーがあるか否かを判断する。そして、演算制御回路４０は、リサイクルできる量のトナーがないと判断した場合、画像形成部１７Ｋを動作制御して通常の白黒の印刷を実行させる。
【００６５】
また、演算制御回路４０は、リサイクルできる量のトナーがあると判断した場合、回収トナー色検出センサ２０９のトナー色検出信号に基づいて、トナー戻通路２０６ａ内のトナーが黒色からどの程度離れているかを判断する。
【００６６】
また、演算制御回路４０は、回収されたトナーが黒色から大きくずれている場合は、回転駆動装置５２を動作制御（駆動制御）してトナー補給スクリュー５１を回転駆動し、トナーボトル５０ａから新黒色のトナーを回収トナー貯蔵容器２０１の上部に設けられた新トナー補給口２０３より回収トナー貯蔵容器２０１内に補充する制御をおこなわせる。
【００６７】
この制御に伴い演算制御回路４０は、回転駆動装置５４を駆動制御してトナー戻しスクリュー２０７を回転駆動させることにより、回収トナー貯蔵容器２０１内の回収トナーをトナー戻しスクリュー２０７によりトナー戻通路２０６ａ内を回収トナー色検出センサ２０９側に搬送する。この際、演算制御回路４０は、搬送される回収トナーの色が所定の許容範囲内の黒色になるまで、トナー補給スクリュー５１を回転駆動して、トナーボトル５０ａから新黒色のトナーを回収トナー貯蔵容器２０１内に補充する制御をおこなわせる。
【００６８】
尚、画像形成部１７Ｒの現像装置３Ｒ内には通常は十分な黒色のトナーが収容されているので、黒色から大きくずれた回収トナーがトナー戻通路２０６ａから現像装置３Ｒに補給されても、トナーボトル５０ａから新黒色のトナーを回収トナー貯蔵容器２０１内に補充する制御を早期に行わせることで、黒色から大きくずれた回収トナーがトナー戻通路２０６ａから現像装置３Ｒに補給される量は非常に少なくなり、現像装置３Ｒによる黒色の現像には支障を来さない。
【００６９】
従って、演算制御回路４０は、「白黒モード」において「リサイクルモード」が選択されたとき、画像形成部１７Ｒのみを動作制御し、感光体１Ｒに形成される静電潜像が現像装置３Ｒと対向する現像領域において、現像装置３Ｒにより帯電した黒色（Ｋ）のリサイクルトナーを感光体１Ｒの静電潜像に付着させることで現像され、感光体１Ｒの静電潜像が黒色（Ｋ）のトナー像に現像される。
【００７０】
この黒色（Ｋ）のトナー像は、感光体１Ｒの矢印方向への回転に伴い、転写装置５Ｒにより搬送ベルト１５により給紙される転写紙８に転写される。そして、転写装置５Ｒにおいてトナー像が転写された後の感光体１Ｒの表面は、クリーニング装置６Ｒでクリーニングされ、感光体１Ｒ上に残った黒色（Ｋ）のトナーが除去される。
【００７１】
このような演算制御回路４０は、「白黒印刷モード時のリサイクルモード」において、回収トナー貯蔵容器２０１内にリサイクルできる量のトナーがないと回収トナー検出センサ２０８からのトナー検出信号に基づいて判断した場合、回転駆動装置５４を停止させてトナー戻しスクリュー２０７を回転を停止させ、回収トナー貯蔵容器２０１から画像形成部１７Ｒへの回収トナーの戻し動作（補給湯動作）を停止させる。しかも、演算制御回路４０は、画像形成部１７Ｒの動作制御を停止させる一方、画像形成部１７Ｋを動作制御して、画像形成部１７Ｋによる白黒の印刷を実行させることができる。
【００７２】
このように回収トナー専用の現像装置３Ｒに補給されたトナーは、黒色トナーの代用として再利用される。この際、演算制御回路４０は、画像品質の劣化はある程度避けられない為、パターン設定装置６０により設定された書込パターンである網点パターンに基づいて露光装置（光書込装置）１６Ｒ，１６Ｋを作動制御して、画像データに基づく感光体１Ｒ，１Ｋの静電潜像を形成する際、感光体１Ｒへの網点パターンの細かさにより黒色部の何％程度を回収トナーで代用し、感光体１Ｋへの網点パターンの細かさにより純粋な黒色のトナーを何％程度使用するかを制御するようになっている。
【００７３】
また、別途、黒色新トナーのみを用いるプロセスカートリッジ（図示せず）を画像形成部１７Ｋが有しているので、高い画像品質が要求される場合は回収トナーを使用することなく画像形成部１７Ｋのみを用いて画像出力を行う事ができる。
（フルカラー印刷モード時のリサイクルモード）
また、演算制御回路４０は、フルカラー印刷モードにおいて「リサイクルモード」を選択すると、回収トナー貯蔵容器２０１内にリサイクルできる量のトナーがあるか否かを判断して、リサイクルできる量のトナーがないと判断した場合、画像形成部１７Ｋ，１７Ｍ，１７Ｙ，１７Ｃを動作制御して、通常のカラー画像作成を実行させる。
【００７４】
また、演算制御回路４０は、回収トナー貯蔵容器２０１内にリサイクルできる量のトナーがあと判断した場合、トナー戻通路２０６ａ内のトナーが黒色からどの程度離れているか等を上述したのと同様に判断して、トナーボトル５０ａから新黒色のトナーを回収トナー貯蔵容器２０１内に補充する制御を上述したように行われる。
【００７５】
そして、演算制御回路４０は、画像形成部１７Ｍ，１７Ｙ，１７Ｃを動作制御すると共に、画像形成部１７Ｋの動作制御を停止させてトナーリサイクル用の画像形成部１７Ｒを動作制御させる。
【００７６】
この際、画像形成部１７Ｒ，１７Ｍ，１７Ｙ，１７Ｃが画像形成部１７Ｋと同様にして動作制御（駆動制御）され、画像形成部１７Ｒ，１７Ｍ，１７Ｙ，１７Ｃで形成された各色の画像がこの順で転写紙８にそれぞれ転写される。
【００７７】
この印刷モードでも演算制御回路４０は、回収トナー貯蔵容器２０１内にリサイクルできる量のトナーがないと回収トナー検出センサ２０８からのトナー検出信号に基づいて判断した場合、回転駆動装置５４を停止させてトナー戻しスクリュー２０７を回転を停止させ、回収トナー貯蔵容器２０１から画像形成部１７Ｒへの回収トナーの戻し動作（補給湯動作）を停止させる。しかも、演算制御回路４０は、画像形成部１７Ｒの動作制御を停止させる一方、画像形成部１７Ｋを動作制御して、画像形成部１７Ｋによる白黒の印刷を実行させる。この際、画像形成部１７Ｍ，１７Ｙ，１７Ｃは、通常のカラー画像作成モードと同様に動作制御させる。
【００７８】
このように回収トナー専用の現像装置３Ｒに補給されたトナーは、黒色トナーの代用として再利用される。この際、演算制御回路４０は、画像品質の劣化はある程度避けられない為、パターン設定装置６０により設定された書込パターンである網点パターンに基づいて露光装置（光書込装置）１６Ｒ，１６Ｋを作動制御して、画像データに基づく感光体１Ｒ，１Ｋの静電潜像を形成する際、感光体１Ｒへの網点パターンの細かさにより黒色部の何％程度を回収トナーで代用し、感光体１Ｋへの網点パターンの細かさにより純粋な黒色のトナーを何％程度使用するかを制御するようになっている。
【００７９】
また、別途、黒色新トナーのみを用いるプロセスカートリッジ（図示せず）を画像形成部１７Ｋが有しているので、高い画像品質が要求される場合は回収トナーを使用することなく画像形成部１７Ｋと各色の画像形成部１７Ｍ，１７Ｙ，１７Ｃを用いて高精度のカラー画像出力を行う事ができる。
【００８０】
以上の機構によって、転写残トナーの回収時の混色に関わらず、画像品質の劣化をなるべく抑えた状態で転写残トナーを黒色トナーの代用として無駄なく再利用する事が可能になる。
（実施の形態の説明１）
この発明の実施の形態のカラー画像形成装置は、黒色画像形成部（画像形成部１７Ｋ）および他の色のトナーを用いる複数の画像作成部（画像形成部１７Ｍ，１７Ｙ，１７Ｃ）が設けられた作像装置Ｇｍを備えている。また、前記各画像作成部（画像形成部１７Ｋ，１７Ｍ，１７Ｙ，１７Ｃ）は、各色のトナー画像が形成される像担持体（感光体１Ｋ，１Ｍ，１Ｙ，１Ｃ）と、前記像担持体（感光体１Ｋ，１Ｍ，１Ｙ，１Ｃ）から他の部材に転写後の前記像担持体（感光体１Ｋ，１Ｍ，１Ｙ，１Ｃ）表面の残トナーを除去するクリーニング装置（６Ｋ，６Ｍ，６Ｙ，６Ｃ）と、この除去されたトナーを回収するトナー回収装置（トナー回収スクリュー７Ｋ，７Ｍ，７Ｙ，７Ｃ）を備えている。更に、カラー画像形成装置は、前記複数の画像作成部（画像形成部１７Ｋ，１７Ｍ，１７Ｙ，１７Ｃ）を制御して前記複数の画像作成部（画像形成部１７Ｋ，１７Ｍ，１７Ｙ，１７Ｃ）によりカラー画像を作像して転写紙８に転写させる制御回路（演算制御回路４０）を有する。しかも、カラー画像形成装置は、前記トナー回収装置（トナー回収スクリュー７Ｋ，７Ｍ，７Ｙ，７Ｃ）により回収した回収トナーを一時的に貯蔵する回収トナー貯蔵容器２０１と、前記回収トナー貯蔵容器２０１内に回収貯蔵された回収トナーを前記黒色画像形成部（画像形成部１７Ｋ）に代えて使用するリサイクル用画像形成部（画像形成部１７Ｒ）と、前記回収トナー貯蔵容器２０１内に回収したトナーを前記リサイクル用画像形成部（画像形成部１７Ｒ）の現像装置３Ｒに搬送するための回収トナー搬送手段（トナー戻しスクリュー２０７）と、前記回収トナー貯蔵容器２０１に回収したトナーを使用した画像出力を前記リサイクル用画像形成部（画像形成部１７Ｒ）により行うリサイクルモードとするか否かを選択操作する選択手段（表示装置４２）とを有する。
【００８１】
この構成によれば、カラー印刷の使用状況に応じて、回収トナーを使用するか否かを選択できる。
【００８２】
即ち、回収したトナーを使用する現像ユニット（画像形成部１７Ｒ）を別途設置することで、回収トナーによる画像品質劣化が問題にならない画像出力をユーザーが希望した時のみ回収トナーを利用出来る。尚、回収したトナーは、基本4色トナーが混合された状態であり色情報が不明であるがセンサ（回収トナー色検出センサ２０９）で色を読み取り、後述するように黒色になるべく近づけるようにする事で出力画像の色異常をなるべく抑えた形で回収トナーを黒トナーの代用として出力画像に混ぜることができる。
（実施の形態の説明２）
また、この発明の実施の形態のカラー画像形成装置は、前記回収トナー貯蔵容器２０１内の回収トナーの色を検出させる回収トナー色検出センサ２０９と、前記回収トナー貯蔵容器２０１に黒色の新トナーを補充させる新トナー補充装置５０とを備えている。しかも、前記制御回路（演算制御回路４０）は、回収トナー色検出センサ２０９からの回収トナー色検出信号に基づいて回収トナー貯蔵容器２０１内の回収トナーの色が黒色からどの程度離れているかを判断し、回収トナーの色が黒色から所定の許容範囲を超えて大きくずれている場合、前記新トナー補充装置５０を動作制御して前記回収トナー貯蔵容器２０１内に黒色の新トナーを補充させるようになっている。
【００８３】
この構成によれば、回収したトナーの色が、黒色から大きくずれており、そのままでは使用できない場合は黒色の新トナーを新規に追加することで黒色に近づけることができる。
（実施の形態の説明３）
また、この発明の実施の形態のカラー画像形成装置において、前記制御回路（演算制御回路４０）は、前記回収トナーの色が黒色から所定の許容範囲内になるまで、前記回収トナー色検出信号に基づいて前記新トナー補充装置５０を動作制御して前記回収トナー貯蔵容器２０１内に黒色の新トナーを補充させ、前記回収トナーの色が黒色から所定の許容範囲内になったときに前記新トナー補充装置５０を動作を停止させるようになっている。
【００８４】
この構成によれば、回収トナー色検出センサ２０９からの色情報を元に、回収トナーが黒色から大きくずれていた場合のみ、黒色トナーを必要な分だけ補給する事ができるため新トナーの無駄な消費を抑える事ができる。
（実施の形態の説明４）
また、この発明の実施の形態のカラー画像形成装置は、前記回収トナー貯蔵容器２０１内の回収トナーを攪拌させる回収トナー攪拌装置（攪拌スクリュー２０４）と、前記回収トナー貯蔵容器２０１内の回収トナーを検出させる回収トナー検出センサ２０８を備えている。しかも、前記制御回路（演算制御回路４０）は、前記選択手段（表示装置４２）により前記リサイクルモードが選択されたときに前記回収トナー検出センサ２０８からのトナー検出信号に基づいて前記回収トナーがあるか否かを判断し、あると判断したとき前記回収トナー搬送手段（トナー戻しスクリュー２０７）および前記リサイクル用画像形成部（画像形成部１７Ｒ）を動作制御するようになっている。
【００８５】
この構成によれば、回収トナー貯蔵容器２０１内にトナーがない場合は、回収トナーを利用した画像出力は行わず、通常の画像出力を行うようにすることが出来る。また、回収したトナーを攪拌混合する事で回収トナーの容器内の色の偏りを防ぎ、正確に回収トナーの色を検知する事ができる。
（実施の形態の説明５）
また、この発明の実施の形態のカラー画像形成装置の前記制御回路は、回収トナーによるリサイクル画像形成部を用いる場合のリサイクル画像形成部（画像形成部１７Ｒ）の像担持体（感光体１Ｒ）への書込パターンや、黒色画像形成部を用いる場合の黒色画像形成部（画像形成部１７Ｋ）の像担持体（感光体１Ｋ）への書込パターンを設定する書込パターン設定装置（パターン設定装置６０）を有する。
【００８６】
この構成によれば、ユーザーがどの程度回収トナーを使用するかの設定に応じて、画像の黒色部分の一部を回収トナーで代用することができる。そして回収トナーを代用した分だけ、フ゛ラック新トナーを用いるプロセスカートリッジの感光体上潜像の網点面積率を下げる事で新トナーの消費量を減らすことができる。
（実施の形態の説明６）
また、この発明の実施の形態のカラー画像形成装置において、前記制御回路（演算制御回路４０）は、前記選択手段（表示装置４２）により前記リサイクルモードが選択されたときに前記回収トナー検出センサ２０８からのトナー検出信号に基づいて前記回収トナーがあるか否かを判断し、ないと判断したとき前記回収トナー搬送手段（トナー戻しスクリュー２０７）および前記リサイクル用画像形成部（画像形成部１７Ｒ）の動作制御を停止させ、前記作像装置の黒色画像形成部（画像形成部１７Ｋ）を作動制御するようになっている。
【００８７】
この構成によれば、リサイクルモードにしたときでも、回収トナー貯蔵容器２０１内にトナーがない場合は、回収トナーを利用した画像出力は行わず、通常の画像出力を行うようにするようにしているので、回収トナー貯蔵容器２０１内にトナーがない場合に通常の画像形成部１７Ｋにより黒色の画像を形成するように自動的に切り替えることができる。
【符号の説明】
【００８８】
１Ｋ 感光体
１Ｍ 感光体
１Ｙ 感光体
１Ｃ 感光体
１Ｒ 感光体
３Ｋ 現像装置
３Ｍ 現像装置
３Ｙ 現像装置
３Ｃ 現像装置
３Ｒ 現像装置
５Ｋ 転写装置
５Ｍ 転写装置
５Ｙ 転写装置
５Ｃ 転写装置
５Ｒ 転写装置
６Ｋ クリーニング装置
６Ｍ クリーニング装置
６Ｙ クリーニング装置
６Ｃ クリーニング装置
６Ｒ クリーニング装置
７Ｋ トナー回収スクリュー（トナー回収装置）
７Ｍ トナー回収スクリュー（トナー回収装置）
７Ｙ トナー回収スクリュー（トナー回収装置）
７Ｃ トナー回収スクリュー（トナー回収装置）
８ 転写紙
１７Ｋ 画像形成部
１７Ｍ 画像形成部
１７Ｙ 画像形成部
１７Ｃ 画像形成部
１７Ｒ 画像形成部
４０ 演算制御回路
４１ 動作部
４２ 表示装置
５０ 新トナー補充装置
６０ パターン設定装置
１００ カラー画像形成装置
２００ 回収トナー貯蔵装置
２０１ 回収トナー貯蔵容器
２０４ 攪拌スクリュー（回収トナー攪拌装置）
２０７ スクリュー（回収トナー搬送手段）
２０８ 回収トナー検出センサ
２０９ 回収トナー色検出センサ
Ｇｍ 作像装置
Ｐ 転写紙
【先行技術文献】
【特許文献】
【００８９】
【特許文献１】特開２００３−１４０４２８号公報
【特許文献２】特許第４６９８２５５号公報
【特許文献３】特開２００７−０２５２６６号公報
【特許文献４】特許第３９４４１９７号公報
【特許文献５】特開２００２−０４０７４８号公報
【図１】
2013195639.tif 000003
【図２】
2013195639.tif 000004
【図３】
2013195639.tif 000005
【図４】
2013195639.tif 000006